(57)【要約】【課題】  電気機器を収容した梱包箱内の隙間を利用して電気コードを納まりよく収納することと併せて、別部品を用いずに差込みプラグを揺れ動かないように保持させる。【解決手段】  梱包箱１０に緩衝材７０と共に電気機器を位置決めして収容させる。電気機器の背面板と梱包箱１０の１つの側板部１２との隙間Ｓに電気コード６０を収納する。梱包箱１０の底板部１５を形成している１枚の内フラップ１７の先端コーナ部の矩形領域Ｚを起立姿勢に切り起こしてコード保持片３０を形成し、そのコード保持片３０のスリット３１に電気コード６０を挟み込む。コード保持片３０によって隙間Ｓを第１空間Ｓ１と第２空間Ｓ２とに区画し、第２空間Ｓ２に差込みプラグ６１を収納する。【選択図】        図１
2008239207.tif 000002
【特許請求の範囲】
【請求項１】
段ボール紙などの厚紙で組み立てられた梱包箱の箱壁とその梱包箱に位置決めして収容された電気機器の筐体との隙間に、上記筐体から引き出されて先端に差込みプラグを有する電気コードが収納されていて、上記箱壁の底板部が、上記梱包箱の底面全体を覆う外フラップとその外フラップに重なり合った内フラップとによって形成されている電気機器の梱包構造において、
梱包箱の箱壁が、矩形筒形に形作られた前後左右の４箇所の各側板部とこれらの各側板部の開口した底面を塞ぐ底板部とを有して、４箇所の上記各側板部が形成している４つの入隅状コーナ部と電気機器の筐体の４つの出隅状コーナ部との間に介在された緩衝材によって電気機器が梱包箱内で位置決めされていると共に、電気コードを収納している上記隙間として、電気機器の筐体の背面板とその背面板に対向している１つの上記側板部との相互空間が選択され、
上記内フラップの先端コーナ部の矩形領域を起立姿勢に切り起こして形成されたコード保持片の幅方向を上記筐体の背面板とその背面板に対向する上記側板部との対向方向に一致させてあると共に、そのコード保持片で上記背面板と上記側板部との相互空間を背面板の幅方向一端側の第１空間と背面板の幅方向他端側の第２空間とに２区画させてあり、
上記コード保持片に、その上縁を始点としてその上縁から下向きに延びる切り目又は開き幅を有する窪み空所でなるスリットを具備させ、そのスリットに、上記第２空間に収納させた上記差込みプラグから延び出て電気コードの上記差込みプラグとの接続部分を覆うスリーブが挟み込まれていると共に、上記背面板の幅方向一端側に具備された引出口から引き出された電気コードの余剰長さ部分が上記第１空間に束ねて収納されていて、
上記コード保持片における上記背面板側に位置している幅方向端縁とその背面板との間に、それら両者が当接することを防ぐ隙間が確保されていると共に、上記第２空間に収納されている差込みプラグの揺れ動きを上記コード保持片で抑制させてその差込みプラグを上記背面板に衝突させないように構成してあることを特徴とする電気機器の梱包構造。
【請求項２】
段ボール紙などの厚紙で組み立てられた梱包箱の箱壁とその梱包箱に位置決めして収容された電気機器の筐体との隙間に、上記筐体から引き出されて先端に差込みプラグを有する電気コードが収納されていて、上記箱壁の底板部が、上記梱包箱の底面全体を覆う外フラップとその外フラップに重なり合った内フラップとによって形成されている電気機器の梱包構造において、
スリットを有してそのスリットに上記電気コードが挟み込まれたコード保持片が、上記内フラップの一部を起立姿勢に切り起こすことによって形成されていることを特徴とする電気機器の梱包構造。
【請求項３】
電気コードを収納している上記隙間として、電気機器の筐体の背面板とその背面板に対向する上記箱壁の側板部との相互空間が選択されていて、電気コードが上記背面板に具備された引出口から引き出されてその相互空間に収納されていると共に、コード保持片の上記スリットに、上記差込みプラグから延び出て電気コードの差込みプラグとの接続部分を覆うスリーブが挟み込まれている請求項２に記載した電気機器の梱包構造。
【請求項４】
幅方向一端側に上記引出口が備わっている上記背面板の幅方向他端側に上記コード保持片を位置させることにより、そのコード保持片で、上記背面板と上記側板部との相互空間を上記背面板の幅方向一端側の第１空間と上記背面板の幅方向他端側の第２空間とに２区画させてあり、上記差込みプラグが第２空間に収納され、電気コードの余剰長さ部分が第１空間に束ねて収納されている請求項３に記載した電気機器の梱包構造。
【請求項５】
上記内フラップの先端コーナ部の矩形領域を起立姿勢に切り起こして上記コード保持片を形成することによりそのコード保持片の幅方向を上記筐体の背面板とその背面板に対向する上記側板部との対向方向に一致させてあると共に、そのコード保持片における上記背面板側に位置している幅方向端縁とその背面板との間に、それら両者が当接することを防ぐ隙間が確保されている請求項４に記載した電気機器の梱包構造。
【請求項６】
上記第２空間に収納されている上記差込みプラグの揺れ動きを上記コード保持片で抑制させてその差込みプラグを上記背面板に衝突させないように構成してある請求項５に記載した電気機器の梱包構造。
【請求項７】
上記スリットが起立姿勢のコード保持片の上縁を始点としてその上縁から下向きに延びる切り目又は開き幅を有する窪み空所でなる請求項２ないし請求項６のいずれか１項に記載した電気機器の梱包構造。
【発明の詳細な説明】
【技術分野】
【０００１】
本発明は、電気機器の梱包構造、特に電気機器の筐体から引き出されている電気コードの収納方法に工夫を講じた電気機器の梱包構造に関する。
【背景技術】
【０００２】
ＤＶＤ装置などの電気機器では、多くの場合、その筐体の背面板（リアパネルによって構成されていることが多い）の引出口から電気コードが引き出されていて、その電気コードには先端に比較的重くて硬い差込みプラグが備わっている。また、ＤＶＤ装置などの電気機器ではその筐体が偏平な矩形箱形に形成されているために、その梱包には偏平な中空箱でなる梱包箱が用いられる。
【０００３】
図５は、偏平な中空箱でなる梱包箱１０にＤＶＤ装置などの電気機器５０を収容する場合に採用される梱包構造の一般的な事例の組立分解図である。
【０００４】
同図において、梱包箱１０は、その箱壁が、矩形筒形に形作られた前後左右の４箇所の各側板部１１〜１４と、これらの各側板部の開口した底面を塞ぐ底板部１５とを有して、底板部１５が、梱包箱１０の底面全体を覆う前後一対の外フラップ１６，１６とそれらの外フラップ１６，１６に重なり合った左右一対の内フラップ１７，１７とによって形成されている。また、箱壁は、前後一対の外フラップ１８，１８と左右一対の内フラップ１９，１９とによって形成される蓋板部を有している。
【０００５】
同図の梱包箱１０に偏平箱形の筐体を備えた電気機器５０を収容して梱包するときには、電気機器５０の筐体の４つの出隅状コーナ部に発泡樹脂などでなる緩衝材７０を嵌め込んで装着した後、その緩衝材７０と共に電気機器５０を梱包箱１０に嵌める。このようにして梱包箱１０に電気機器５０を収容させると、梱包箱１０の４箇所の各側板部１１〜１４が形成している４つの入隅状コーナ部と電気機器５０の筐体の４つの出隅状コーナ部との間に介在された緩衝材７０によって電気機器５０が梱包箱１０内で位置決めされ、しかも、電気機器５０の筐体の周囲と梱包箱１０の各側板部１１〜１４との相互間には、上記緩衝材７０の厚さによって定まる広さの隙間が確保され、しかも、電気機器５０が緩衝材７０によるスペーサとしての作用によって梱包箱１０内で動かないように位置決めされた状態に保たれる。
【０００６】
図６は上記のようにして電気機器５０を収容させた梱包箱１０の横断平面図である。同図に示したように、梱包箱１０に収容されている電気機器５０の筐体から引き出された電気コード６０は、電気機器５０の筐体の背面板５１とその背面板５１に対向している梱包箱５０の側板部１２との相互空間によって形成されている隙間Ｓを利用して、その隙間Ｓに収納されている。また、電気コード６０の先端の差込みプラグ６１を段ボール紙などの厚紙を筒形に曲げて作成した保護カバー６２で巻いたり包み込んだりしてその隙間Ｓに収納させている。
【０００７】
一方、クッキングヒータの梱包構造において、クッキングヒータの電気コードの差込みプラグを段ボール紙で筒形に作った緩衝材で包んで粘着テープで止め、それをクッキングヒータを収容させた梱包箱の隙間に嵌め込んでおくことは周知である（たとえば、特許文献１参照）。そして、この特許文献１には、梱包箱としての箱体の蓋板部を形成するための内フラップの一部に折曲げ部を形成し、その折曲げ部に形成した抜き孔を利用して差込みプラグを固定しておくということについても記載されている。
【０００８】
また、空気調和機室内機を梱包する場合に、その室内機を乗せる台紙の一部を折り曲げてその室内機の電源コードの電源プラグを収納するスペースを形成し、そのスペースに電源プラグを収納すると共に、電源プラグに接続されている電源コードを上記台紙の一部に形成した開口に挿通させるという梱包装置が提案されている（たとえば、特許文献２参照）。
【特許文献１】特開２００１−３１５７５９号公報（図３、図４）
【特許文献２】特開２００５−８２１７０号公報（図１）
【発明の開示】
【発明が解決しようとする課題】
【０００９】
図４を参照して説明したように差込みプラグ６１を段ボール紙で作った保護カバー６２に包み込んで梱包箱１０の上記隙間Ｓに収納させておくようにすると、梱包が落下したり振動を受けたりしたときに差込みプラグ６１が単独で揺れ動いて電気機器５０の筐体の背面板に衝突したりすることが起こりにくいために、差込みプラグ６１が電気機器５０の筐体と衝突してその筐体を傷付けるという事態が起こりにくくなるという利点がある。この利点は、特許文献１によって開示されているように、電気コードの差込みプラグを段ボール紙で筒形に作った緩衝材で包んで粘着テープで止め、それをクッキングヒータを収容させた梱包箱の隙間に嵌め込んでおくことによっても得られると考えられる。
【００１０】
しかしながら、図４に示した段ボール紙でなる保護カバー６２を用いたり、特許文献１によって開示されている筒形の緩衝材を用いたりすることによって、差込みプラグが電気機器５０の筐体に衝突して傷付けるという事態を防ぐと、保護カバー６２や緩衝材が余分に必要になり、また、それらを製作するのに手間がかかるためにそれだけ梱包に要する作業が複雑かつ煩雑になり、梱包工程の作業性が低下するという問題があった。
【００１１】
また、特許文献２によって提案されているように、梱包箱とは別に台紙を用意してその台紙の一部にスペースを形成するものでは、台紙の一部を折り曲げたりしてそのスペースを形作る手間が煩わしいだけでなく、スペースに差込みプラグを収納させるのに手間が係るという問題や、台紙自体が余分に必要になってコスト面で大きな不利を招くことになるという問題があると考えられる。
【００１２】
本発明は以上の問題や状況に鑑みてなされたものであり、電気機器を収容した梱包箱内の隙間を利用して電気コードを納まりよく収納するということを基本として、図６に示した保護カバー６２のような別部品を製作したり用いたりすることなく、梱包箱の内フラップの一部を利用するだけで差込みプラグを揺れ動かないように保持させることのできる電気機器の梱包構造を提供することを目的とする。
【００１３】
また、本発明は、梱包箱に電気コードと共に電気機器を収容させるための梱包作業を容易に行うことができ、しかも、電気コードの差込みプラグを揺れ動かないように位置決めさせる作業も容易に行うことのできる電気機器の梱包構造を提供することを目的とする。
【課題を解決するための手段】
【００１４】
本発明に係る電気機器の梱包構造は、ダンボール紙などの厚紙で組み立てられた梱包箱の箱壁とその梱包箱に位置決めして収容された電気機器の筐体との隙間に、上記筐体から引き出されて先端に差込みプラグを有する電気コードが収納されている。また、上記箱壁の底板部が、上記梱包箱の底面全体を覆う外フラップとその外フラップに重なり合った内フラップとによって形成されている。そして、スリットを有してそのスリットに上記電気コードが挟み込まれたコード保持片が、上記内フラップの一部を起立姿勢に切り起こすことによって形成されている。
【００１５】
この構成であると、梱包箱の底板部を形成している内フラップの一部を起立姿勢に切り起こしてコード保持片が製作されているので、図６に示した保護カバー６２のような別部品を製作したり用いたりする必要がない。また、電気コードがコード保持片に具備されているスリットに挟み込まれて保持されるために、コード保持片に電気コードを保持させる作業を容易に行うことができるだけでなく、電気機器を梱包箱に収容させる前であっても、その後であっても、コード保持片に電気コードを容易に保持させることが可能であるにもかかわらず、梱包が落下したり振動を受けたりしたときに差込みプラグが単独で揺れ動いて電気機器の筐体に衝突したりすることが起こりにくくなり、差込みプラグが電気機器の筐体を傷付けるという事態も起こりにくくなる。
【００１６】
本発明では、電気コードを収納している上記隙間として、電気機器の筐体の背面板とその背面板に対向する上記箱壁の側板部との相互空間が選択されていて、電気コードが上記背面板に具備された引出口から引き出されてその相互空間に収納されていると共に、コード保持片の上記スリットに、上記差込みプラグから延び出て電気コードの差込みプラグとの接続部分を覆うスリーブが挟み込まれている、という構成を採用することが望ましい。これによれば、差込みプラグがコード保持片にしっかりと揺れ動かないにように保持されるために、梱包が落下したり振動を受けたりしたときに差込みプラグが単独で揺れ動いて電気機器の筐体に衝突したりすることが起こりにくくなり、差込みプラグが電気機器の筐体を傷付けるという事態も起こりにくくなるという上記作用がいっそう顕著に発揮されるようになる。
【００１７】
本発明では、幅方向一端側に上記引出口が備わっている上記背面板の幅方向他端側に上記コード保持片を位置させることにより、そのコード保持片で、上記背面板と上記側板部との相互空間を上記背面板の幅方向一端側の第１空間と上記背面板の幅方向他端側の第２空間とに２区画させてあり、上記差込みプラグが第２空間に収納され、電気コードの余剰長さ部分が第１空間に束ねて収納されている、という構成を採用することが望ましい。これによれば、差込みプラグが第１空間に整然と収納され、電気コードの余剰長さ部分が第２空間に整然と収納されることになる。
【００１８】
本発明では、上記内フラップの先端コーナ部の矩形領域を起立姿勢に切り起こして上記コード保持片を形成することによりそのコード保持片の幅方向を上記筐体の背面板とその背面板に対向する上記側板部との対向方向に一致させてあると共に、そのコード保持片における上記背面板側に位置している幅方向端縁とその背面板との間に、それら両者が当接することを防ぐ隙間が確保されていることが望ましい。これによれば、コード保持片が電気機器の筐体の背面板と衝突してその背面板を凹ませたり傷付けたりすることが起こらない。
【００１９】
本発明では、上記第２空間に収納されている上記差込みプラグの揺れ動きを上記コード保持片で抑制させてその差込みプラグを上記背面板に衝突させないように構成してある。
【００２０】
また、上記スリットが起立姿勢のコード保持片の上縁を始点としてその上縁から下向きに延びる切り目又は開き幅を有する窪み空所でなることが望ましい。これによれば、コード保持片にスリットを形成する作業が容易になる。
【００２１】
本発明に係る電気機器の梱包構造は、ダンボール紙などの厚紙で組み立てられた梱包箱の箱壁とその梱包箱に位置決めして収容された電気機器の筐体との隙間に、上記筐体から引き出されて先端に差込みプラグを有する電気コードが収納されていて、上記箱壁の底板部が、上記梱包箱の底面全体を覆う外フラップとその外フラップに重なり合った内フラップとによって形成されている電気機器の梱包構造において、梱包箱の箱壁が、矩形筒形に形作られた前後左右の４箇所の各側板部とこれらの各側板部の開口した底面を塞ぐ底板部とを有して、４箇所の上記各側板部が形成している４つの入隅状コーナ部と電気機器の筐体の４つの出隅状コーナ部との間に介在された緩衝材によって電気機器が梱包箱内で位置決めされていると共に、電気コードを収納している上記隙間として、電気機器の筐体の背面板とその背面板に対向している１つの上記側板部との相互空間が選択され、上記内フラップの先端コーナ部の矩形領域を起立姿勢に切り起こして形成されたコード保持片の幅方向を上記筐体の背面板とその背面板に対向する上記側板部との対向方向に一致させてあると共に、そのコード保持片で上記背面板と上記側板部との相互空間を背面板の幅方向一端側の第１空間と背面板の幅方向他端側の第２空間とに２区画させてあり、上記コード保持片に、その上縁を始点としてその上縁から下向きに延びる切り目又は開き幅を有する窪み空所でなるスリットを具備させ、そのスリットに、上記第２空間に収納させた上記差込みプラグから延び出て電気コードの上記差込みプラグとの接続部分を覆うスリーブが挟み込まれていると共に、上記背面板の幅方向他端側に具備された引出口から引き出された電気コードの余剰長さ部分が上記第１空間に束ねて収納されていて、上記コード保持片における上記背面板側に位置している幅方向端縁とその背面板との間に、それら両者が当接することを防ぐ隙間が確保されていると共に、上記第２空間に収納されている差込みプラグの揺れ動きを上記コード保持片で抑制させてその差込みプラグを上記背面板に衝突させないように構成してある、という構成を採用することによっていっそう具体化される。そして、この発明によれば、図５を参照して説明した梱包箱１０の内フラップ１７にコード保持片を形成するだけで、上記した各発明の作用が奏されるようになるという利点がある。
【発明の効果】
【００２２】
以上のように、本発明によれば、電気機器を収容した梱包箱内の隙間を利用して電気コードを納まりよく収納することが可能である。特に、図６に示した保護カバー６２のような別部品を製作したり用いたりすることなく、梱包箱の内フラップの一部を利用するだけで差込みプラグを揺れ動かないように保持させることができるという卓越した効果が奏される。また、発明によれば、梱包箱に電気コードと共に電気機器を収容させるための梱包作業を容易に行うことができるほか、電気コードの差込みプラグを揺れ動かないように位置決めさせる作業も容易に行うことのできるようになるという効果が奏される。
【発明を実施するための最良の形態】
【００２３】
図１は本発明の実施形態に係る梱包構造の横断平面図、図２は梱包箱の横断平面図、図３は梱包箱の概略斜視図、図４は図１のＩＶ−ＩＶ線に沿う部分の拡大断面図である。
【００２４】
図１〜図３に示した梱包箱１０は段ボール紙やその他の厚紙で製作されていて、その基本的な構成が図５を参照して説明した梱包箱１０と同様である。すなわち、箱壁が、矩形筒形に形作られた前後左右の４箇所の各側板部１１〜１４と、これらの各側板部１１〜１４の開口した底面を塞ぐ底板部１５とを有して、底板部１５が、梱包箱１０の底面全体を覆う前後一対の外フラップ１６，１６とそれらの外フラップ１６，１６に重なり合った左右一対の内フラップ１７，１７とによって形成されていることに加えて、前後一対の外フラップ１８，１８と左右一対の内フラップ１９，１９とによって形成される蓋板部を有している。そして、梱包箱１０に偏平箱形の筐体を備えた電気機器５０を収容して梱包するときには、図１によって明らかなように、電気機器５０の筐体の４つの出隅状コーナ部に発泡樹脂などでなる緩衝材７０を嵌め込んで装着した後、その緩衝材７０と共に電気機器５０を梱包箱１０に嵌めることにより、４隅の緩衝材７０で電気機器５０を梱包箱１０内で位置決めさせる。また、電気機器５０の筐体から引き出されている電気コード６０を、電気機器５０の筐体の背面板５１とその背面板５１に対向している梱包箱５０の側板部１２との相互空間によって形成されている隙間Ｓを利用してその隙間Ｓに収納する。
【００２５】
この実施形態では、図２のように、梱包箱１０の底板部１５を形成している左右の内フラップ１７，１７のうちの一方側の内フラップ１７の先端コーナ部にまっすぐな切込み２１を入れて矩形領域Ｚを区画形成してある。また、切込み２１の切込み終端２１ａとその内フラップ１７の端縁１７ａとをつなぐ直線部分２１ｂを折曲げ可能としてある。この直線部分２１ｂは、上記矩形領域Ａを起立姿勢に折り曲げるときの折曲げ線に相当していて、あらかじめその直線部分２１ｂを折れ曲がりやすくするために折れ線を形成しておいてもよい。この矩形領域Ｚは、上記直線部分２１ｂを折り曲げて起立姿勢に切り起こすことによってコード保持片３０として使用される部分である。
【００２６】
矩形領域Ｚを起立姿勢に切り起こすことによって形成されるコード保持片３０は、図３に示したように、その上縁を始点としてその上縁の略中央部から下向きに延びるスリット３１が形成されている。このスリット３１は、図２のように起立姿勢に切り起こす前の上記矩形領域Ｚの一部を欠除させて形成された開き幅を有する窪み凹所であっても、その矩形領域Ｚの一部に切込み形成した切り目であってもよい。
【００２７】
図１のように、コード保持片３０は電気コード６０を収納している隙間Ｓに配備されていて、そのコード保持片３０の幅方向が、梱包箱１０に収容されている電気機器５０の筐体の背面板５１とその背面板５１に対向する側板部１２との対向方向（梱包箱１０の前後方向）に一致している。そして、コード保持片３０で、電気機器５０の筐体の背面板５１と上記側板部１２との相互空間、すなわち上記隙間Ｓが、背面板５１の幅方向一端側の第１空間Ｓ１と背面板５１の幅方向他端側の第２空間Ｓ２とに２区画されている。
【００２８】
梱包箱１０に収容されている電気機器５０は、その筐体の背面板５１の幅方向一端側に電気コード６０の引出口６３を備えているのに対し、上記コード保持片３０は上記隙間Ｓ内で背面板５１の幅方向他端側に偏った箇所に位置している。このようにコード保持片３０の位置を隙間Ｓ内で背面板５１の幅方向他端側に偏らせてあることによって、上記第２空間Ｓ２が差込みプラグ６１を収納するのに適した広さに定められている。
【００２９】
図１のように、差込みプラグ６１は、上記引出口６３から引き出された電気コード６０の先端に備わっていて、その電気コード６０の差込みプラグ６１との接続部分が、差込みプラグ６１から延び出たスリーブ６４によって覆われている。このスリーブ６４は、電気コード６０の屈曲を防いで断線を起こりにくくする作用を有している。
【００３０】
そして、図１のように第２空間Ｓ２に差込みプラグ６１を収納させてあると共に、その差込みプラグ６１から延び出ている上記スリーブ６４が図４に詳細に示したようにコード保持片３０のスリット３１に挟み込まれ、かつ、電気コード６０の余剰長さ部分が上記第１空間Ｓ１に束ねて収納されている。この実施形態では、電気コード６０の余剰長さ部分を束ねた箇所を樹脂シートやシート状緩衝材６６によって包み込んである。
【００３１】
以上説明した梱包構造では、梱包箱１０の底板部１５を形成している１枚の内フラップ１７の一部を起立姿勢に切り起こしてコード保持片３０が形成されていて、そのコード保持片３０に形成されているスリット３１に電気コード６０を挟み込んで保持させてあり、しかも、スリット３１に対する電気コード６０の挟み込み箇所として、差込みプラグ６１のスリーブ６７で覆われた部分が選ばれているため、コード保持片３０を別部品にならずに済み、しかも、重くて硬い差込みプラグ６１がコード保持片３０にしっかりと揺れ動かないように保持される。そのため、梱包が落下したり振動を受けたりしても、差込みプラグ６１が揺れ動いて電気機器５０の筐体の背面板５１に衝突してその筐体を傷付けたり凹ませたりするおそれがなくなる。
【００３２】
また、コード保持片３０が内フラップ１７の一部に切起し形成されることに加えて、そのコード保持片３０のスリット３１に電気コード６０を挟み込む作業は、梱包箱１０に電気機器５０を上から収容させるときに併せて上から行うことができるため、梱包作業性が向上して量産性を高めることが可能である。
【００３３】
図４のように、この実施形態では、コード保持片３０の幅を適切に定めることによって、そのコード保持片３０における上記背面板５１側に位置している幅方向端縁３２と背面板５１との間に隙間Ａを形成し、この隙間Ａによって、コード保持片３０と背面板５１とが当接することを防いでいる。こうしておくと、落下時などにコード保持片３０が背面板５１に当たって背面板５１が凹んだり傷付いたりすることが未然に防止される。なお、ＤＶＤ装置についての梱包構造にあっては、上記隙間Ａが３ｍｍ以上となる範囲でコード保持片３０の幅をできるだけ長くしておくことが有益であり、そのようにしておくと、コード保持片３０が背面板５１に当たることを防いだ上で、そのコード保持片３９による電気コード６０の保持強度を大きく確保することが可能になる。なお、コード保持片３９の上縁略中央部に形成されるスリット３１を窪み凹所によって形成する場合には、そのスリット３１の開き幅Ｂを１０ｍｍ程度、深さＣを２０ｍｍ程度に定めることが有益であり、開き幅Ｂや深さＣをこの程度に定めておけば、電気コード６０が電気機器５０の筐体の背面板５１に接触しにくくなる。ここで、開き幅Ｂや深さＣは、電気コード６０の太さや隙間Ｓの幅（前後幅）を勘案して適宜選定すべきである。
【００３４】
この実施形態では、内フラップ１７の先端コーナ部の一部を切り起こしてコード保持片３０を形成してあるけれども、内フラップ１７のどの箇所にコーナ保持片を形成するかは、電気機器５０の筐体の形状に応じて適宜決定すべきである。
【図面の簡単な説明】
【００３５】
【図１】本発明の実施形態に係る梱包構造の横断平面図である。
【図２】梱包箱の横断平面図である。
【図３】梱包箱の概略斜視図である。
【図４】図１のＩＶ−ＩＶ線に沿う部分の拡大断面図である。
【図５】梱包構造の一般的な事例の組立分解図である。
【図６】図６は従来例による梱包構造の横断平面図である。
【符号の説明】
【００３６】
１０  梱包箱
１１〜１４  側板部
１５  箱壁の底板部
１６  外フラップ
１７  内フラップ
３０  コード保持片
３１  スリット
５０  電気機器
６０  電気コード
６１  差込みプラグ
６３  引出口
６４  スリーブ
７０  緩衝材
Ｓ１  第１空間
Ｓ２  第２空間
Ａ  隙間
Ｓ  隙間
【図１】
2008239207.tif 000003
【図２】
2008239207.tif 000004
【図３】
2008239207.tif 000005
【図４】
2008239207.tif 000006
【図５】
2008239207.tif 000007
【図６】
2008239207.tif 000008